(57)【要約】【課題】接着剤を均一的に塗布することができる靴材の接着剤塗布装置を提供する。【解決手段】回転軸２１と、回転軸２１と共に回転する第１の回転座３１と、回転軸２１と共に回転する第２の回転座４１とを有する回転枠ユニット２と、第１の回転座３１と第２の回転座４１との間に配置される弾性ユニット５と、弾性ユニット５を内側に包囲するように第１の回転座３１と第２の回転座４１とに取付けられ、且つ、外表面に接着剤が塗布されるソフトカバー６と、を備える。【選択図】図１
2019058901.tif 000002
【特許請求の範囲】
【請求項１】
所定の軸線に沿って延伸する回転軸を有する回転ユニットと、
前記回転軸と共に回転するように該回転軸に設置される第１の位置限定ユニットと、
前記軸線において前記第１の位置限定ユニットと間隔をあけ、且つ、前記回転軸と共に回転するように該回転軸に設置される第２の位置限定ユニットと、
前記第１の位置限定ユニットと前記第２の位置限定ユニットとの間で、前記軸線と平行に延伸し、前記軸線を包囲するように互いに間を開けて配置される複数の弾性部材を有する弾性ユニットと、
前記弾性ユニットを内側に包囲するように前記第１の位置限定ユニットと前記第２の位置限定ユニットとに取付けられ、且つ、外表面に接着剤が塗布されるソフトカバーと、を備え、
靴材の接着剤塗布部を外側から前記ソフトカバーの外表面に押し当てると、前記ソフトカバーの内側にある前記弾性ユニットが変形すると共に、前記回転ユニットの回転により前記ソフトカバーの外表面に塗布された接着剤を該靴材の接着剤塗布部に塗布する靴材の接着剤塗布装置。
【請求項２】
前記第１の位置限定ユニットは前記回転軸に設置される第１の回転座を有し、前記第１の回転座は、中心点に前記軸線が通過する第１の取付けリングを有し、
前記第２の位置限定ユニットは前記回転軸に設置される第２の回転座を有し、前記第２の回転座は、中心点に前記軸線が通過する第２の取付けリングを有しており、
各前記弾性部材は、いずれも前記第１の取付けリングに引き掛ける第１のフック部と、前記第２の取付けリングに引き掛ける第２のフック部と、を両端に有していることを特徴とする請求項１に記載の靴材の接着剤塗布装置。
【請求項３】
前記第１の回転座には、前記弾性ユニットが有する各前記弾性部材にそれぞれ対応する複数の第１の取付け穴が形成されていると共に、前記第１の取付けリングは、前記第１の回転座の前記弾性ユニットに面しない側に配置されており、
前記第２の回転座には、前記弾性ユニットが有する各前記弾性部材にそれぞれ対応する複数の第２の取付け穴が形成されていると共に、前記第２の取付けリングは、前記第２の回転座の前記弾性ユニットに面しない側に配置されており、
各前記弾性部材は、いずれも前記第１のフック部が対応する前記第１の取付け穴を通過してから前記第１の取付けリングに引き掛け、そして前記第２のフック部が対応する前記第２の取付け穴を通過してから前記第２の取付けリングに引き掛けるように取付けられていることを特徴とする請求項２に記載の靴材の接着剤塗布装置。
【請求項４】
前記第１の位置限定ユニットは、前記第１の回転座の前記弾性ユニットに面しない側において、前記回転軸と共に回転するように該回転軸に設置される接続部と、前記接続部から前記回転軸の外側へ張り出す延伸部と、前記延伸部の外周縁から前記第２の位置限定ユニット側へ突出するサポート部とを有する保持座を更に有していることを特徴とする請求項３に記載の靴材の接着剤塗布装置。
【請求項５】
前記第１の位置限定ユニットは、前記第１の取付けリングと前記保持座との間に介在し、且つ、前記保持座の前記サポート部との間に前記ソフトカバーの一端部が挟まれて固定されている取付け座を更に有していることを特徴とする請求項４に記載の靴材の接着剤塗布装置。
【請求項６】
前記第１の位置限定ユニットが有する前記第１の回転座は、前記回転軸から張り出す装着板を有しており、各前記第１の取付け穴は、前記装着板の外周縁から刳り込むように前記装着板に形成されていることを特徴とする請求項４に記載の靴材の接着剤塗布装置。
【請求項７】
前記ソフトカバーの外表面には、前記軸線を中心として略らせん状に延伸する接着剤収容溝が凹設されていることを特徴とする請求項１〜請求項６のいずれか一項に記載の靴材の接着剤塗布装置。
【発明の詳細な説明】
【技術分野】
【０００１】
本発明は、靴材の接着剤塗布装置に関し、特に、接着剤を均一的に塗布することができる靴材の接着剤塗布装置に関する。
【背景技術】
【０００２】
靴の製造工程では、各部材を組み合わせるために靴材の表面に接着剤を塗布する。特許文献１に記載される接着剤塗布装置は、接着剤をプラスチック棒に付着させてから該プラスチック棒を靴材の表面に当てて接着剤を塗布する構成になっている。
【先行技術文献】
【特許文献】
【０００３】
【特許文献１】中国実用新案登録第ＣＮ２０２９６２７６８Ｕ号明細書
【発明の概要】
【発明が解決しようとする課題】
【０００４】
上記従来の接着剤塗布装置は、接着剤を円柱状のプラスチック棒に付着させてから接着剤を靴材の表面に塗布する構成になっているが、靴材の表面に接着剤が塗布される予定の箇所の形状は平面に限られないので、接着剤が付着されるプラスチック棒の円柱状の表面では対応しきれず、均一的に塗布することができない問題点がある。
【０００５】
本発明は、この問題点に鑑みて、接着剤を均一的に塗布することができる靴材の接着剤塗布装置の提供を目的とする。
【課題を解決するための手段】
【０００６】
上記目的を達成すべく、本発明は、所定の軸線に沿って延伸する回転軸を有する回転ユニットと、前記回転軸と共に回転するように該回転軸に設置される第１の回転座を有する第１の位置限定ユニットと、前記軸線において前記第１の位置限定ユニットと間隔し、且つ、前記回転軸と共に回転するように該回転軸に設置される第２の回転座を有する第２の位置限定ユニットと、前記第１の位置限定ユニットと前記第２の位置限定ユニットとの間で、前記軸線と平行に延伸し、前記軸線を包囲するように互いに間を開けて配置される複数の弾性部材を有する弾性ユニットと、前記弾性ユニットを内側に包囲するように前記第１の位置限定ユニットと前記第２の位置限定ユニットとに取付けられ、且つ、外表面に接着剤が塗布されるソフトカバーと、を備え、靴材の接着剤塗布部を外側から前記ソフトカバーの外表面に押し当てると、前記ソフトカバーの内側にある前記弾性ユニットが変形すると共に、前記回転ユニットの回転により前記ソフトカバーの外表面に塗布された接着剤を該靴材の接着剤塗布部に均一的に塗布できる靴材の接着剤塗布装置を提供する。
【発明の効果】
【０００７】
上記構成により、本発明は外表面に接着剤が塗布されるソフトカバーの内側に変形可能な弾性ユニットが配置されているので、ソフトカバーは塗布対象である靴材の表面に当たってその形状に応じて変形し且つ元の位置にもどることができるので、靴材の表面の様々な形状に対応して接着剤を均一的に塗布することができる。
【図面の簡単な説明】
【０００８】
【図１】本発明の靴材の接着剤塗布装置の全体的な構成が示される斜視図である。
【図２】本発明の靴材の接着剤塗布装置の各部構成が示される分解斜視図である。
【図３】本発明の靴材の接着剤塗布装置の構成が示される断面図である。
【図４】本発明の靴材の接着剤塗布装置の機能が示される一部拡大断面図である。
【発明を実施するための形態】
【０００９】
以下、図面を参照して本発明の靴材の接着剤塗布装置の好ましい実施形態について詳しく説明する。
【００１０】
図１は本発明の靴材の接着剤塗布装置の全体的な構成が示される斜視図であり、図２は本発明の靴材の接着剤塗布装置の各部構成が示される分解斜視図であり、図３は本発明の靴材の接着剤塗布装置の構成が示される断面図であり、図４は本発明の靴材の接着剤塗布装置の機能が示される一部拡大断面図である。
【００１１】
図示されているように、本発明の靴材の接着剤塗布装置は、所定の軸線Ｌに沿って延伸する回転軸２１を有する取付軸手段２０を含む回転ユニット２と、回転軸２１と共に回転するように該回転軸２１に設置される第１の回転座３１を有する第１の位置限定ユニット３と、軸線Ｌにおいて第１の位置限定ユニット３と間隔をあけ、且つ、回転軸２１と共に回転するように該回転軸２１に設置される第２の回転座４１を有する第２の位置限定ユニット４と、第１の位置限定ユニット３と第２の位置限定ユニット４との間で、軸線Ｌを包囲するように配置される弾性ユニット５と、弾性ユニット５を内側に包囲するように第１の位置限定ユニット３と第２の位置限定ユニット４とに取付けられ、且つ、外表面に接着剤が塗布されるソフトカバー６と、を備えている。
【００１２】
この構成により、図４に示されているように、靴材９の接着剤塗布部９１を外側からソフトカバー６の外表面に押し当てると、ソフトカバー６の内側にある弾性ユニット５が変形すると共に、回転ユニット２の回転によりソフトカバー６の外表面に塗布された接着剤を該靴材９の接着剤塗布部９１に均一的に塗布することができる。
【００１３】
更に、本発明の靴材の接着剤塗布装置のこの実施形態において、弾性ユニット５は、互いに間を開けて、軸線Ｌと平行に延伸する複数の弾性部材５１で回転軸２１を内側に包囲するように構成されている。
【００１４】
また、第１の回転座３１は、中心点に軸線Ｌが通過する第１の取付けリング３２を有し、第２の回転座４１は、中心点に軸線Ｌが通過する第２の取付けリング４２を有しており、各弾性部材５１は、いずれも第１の取付けリング３２に引き掛ける第１のフック部５１３と、第２の取付けリング４２に引き掛ける第２のフック部５１４と、を両端に有している。
【００１５】
また、第１の回転座３１には、弾性ユニット５が有する各弾性部材５１にそれぞれ対応する複数の第１の取付け穴３１５が形成されていると共に、第１の取付けリング３２は、第１の回転座３１の弾性ユニット５に面しない側に配置されている。また、第２の回転座４１には、弾性ユニット５が有する各弾性部材５１にそれぞれ対応する複数の第２の取付け穴４１１が形成されていると共に、第２の取付けリング４２は、第２の回転座４１の弾性ユニット５に面しない側に配置されている。
【００１６】
各弾性部材５１は、いずれも第１のフック部５１３が対応する第１の取付け穴３１５を通過してから第１の取付けリング３１に引き掛け、そして第２のフック部５１４が対応する第２の取付け穴４１１を通過してから第２の取付けリング４２に引き掛けるように取付けられている。
【００１７】
第１の位置限定ユニット３は、第１の回転座３１の弾性ユニット５に面しない側において、回転軸２１と共に回転するように該回転軸２１に設置される接続部２２１と、接続部２２１から回転軸２１の外側へ張り出す延伸部２２２と、延伸部２２２の外周縁から前記第２の位置限定ユニット４側へ突出するサポート部２２３とを有する保持座２２を更に有している。
【００１８】
第１の位置限定ユニット３は、第１の取付けリング３２と保持座２２との間に介在し、且つ、保持座２２のサポート部２２３との間にソフトカバー６の一端部６２が挟まれて固定されている取付け座２３を更に有している。
【００１９】
第１の位置限定ユニット３が有する第１の回転座３１は、回転軸２１により挿通されるスリーブ３１２と、スリーブ３１２から張り出す装着板３１１とを有しており、各第１の取付け穴３１５は、装着板３１１の外周縁３１４から刳り込むように装着板３１１に形成されている。
【００２０】
ソフトカバー６の外表面には、軸線Ｌを中心として略らせん状に延伸する接着剤収容溝６１が凹設されている。
【００２１】
また、本発明の靴材の接着剤塗布装置については、上記回転ユニット２及び該回転ユニット２と共に回転する第１の位置限定ユニット３と第２の位置限定ユニット４とをまとめて１つの回転枠ユニットとすることにより、以下のように定義することも可能である。
【００２２】
即ち、本発明の靴材の接着剤塗布装置は、所定の軸線に沿って延伸する回転軸と、前記回転軸と共に回転するように該回転軸に設置される第１の回転座と、前記軸線において前記第１の回転座と間隔をあけ、且つ、前記回転軸と共に回転するように該回転軸に設置される第２の回転座とを有する回転枠ユニットと、前記第１の回転座と前記第２の回転座との間で、前記軸線と平行に延伸し、前記軸線を包囲するように互いに間を開けて配置される複数の弾性部材を有する弾性ユニットと、前記弾性ユニットを内側に包囲するように前記第１の回転座と前記第２の回転座とに取付けられ、且つ、外表面に接着剤が塗布されるソフトカバーと、を備え、靴材の接着剤塗布部を外側から前記ソフトカバーの外表面に押し当てると、前記ソフトカバーの内側にある前記弾性ユニットが変形すると共に、前記回転枠ユニットの回転により前記ソフトカバーの外表面に塗布された接着剤を該靴材の接着剤塗布部に均一的に塗布できる。
【００２３】
以上の説明は、本発明の実施例に過ぎず、これを以って特許請求の範囲を限定するものではない。また、本発明の特許請求の範囲及び明細書の内容に簡単な付加や変化を加えたに過ぎないものについても、特許請求の範囲に記載された発明の技術的範囲に属するものとする。
【産業上の利用可能性】
【００２４】
上記構成により、本発明は外表面に接着剤が塗布されるソフトカバーの内側に変形可能な弾性ユニットが配置されているので、ソフトカバーは塗布対象である靴材の表面に当たってその形状に応じて変形し且つ元の位置にもどることができるので、靴材の表面の様々な形状に対応して接着剤を均一的に塗布することができる。
【００２５】
また、ソフトカバーの外表面に軸線を中心として略らせん状に延伸する接着剤収容溝が凹設されることにより、接着剤を一時的に収容できる空間が増設されるので、接着剤の補充が必要になるまでの稼働時間を延長することもできる。
【００２６】
更に、弾性ユニットを複数の弾性部材で構成すると共に、各弾性部材の第１のフック部及び第２のフック部を対応する第１または第２の取付け穴に通過してから第１または第１の取付けリングに引き掛けることにより、各弾性部材をしっかりと保持することができ、そしてソフトカバーあ塗布対象に当たることに応じて変形した後確実に元の位置に戻ることができる。
【００２７】
このように、本発明は従来よりも接着剤を均一的に塗布することができる優れた靴材の接着剤塗布装置を提供することができる。
【符号の説明】
【００２８】
２          回転ユニット
２０        取付軸手段
２１        回転軸
２２        保持座
２２１      接続部
２２２      延伸部
２２３      サポート部
２３        取付け座
３          第１の位置限定ユニット
３１        第１の回転座
３１１      装着板
３１２      スリーブ
３１４      外周縁
３１５      第１の取付け穴
３２        第１の取付けリング
４          第２の位置限定ユニット
４１        第２の回転座
４１１      第２の取付け穴
４２        第２の取付けリング
５          弾性ユニット
５１３      第１のフック部
５１４      第２のフック部
６          ソフトカバー
６１        接着剤収容溝
６２        一端部
９          靴材
９１        接着剤塗布部
Ｌ          軸線
【図１】
2019058901.tif 000003
【図２】
2019058901.tif 000004
【図３】
2019058901.tif 000005
【図４】
2019058901.tif 000006